(57)【特許請求の範囲】
【請求項１】
幅の異なる縦細目地、縦太目地、縦通し目地を高さ方向に沿って形成する縦細目地成形部、縦太目地成形部、縦通し目地成形部と、幅の異なる横細目地、横太目地、横通し目地を幅方向に沿って形成する横細目地成形部、横太目地成形部、横通し目地成形部とによって、格子状の目地を形成するようになされた目地成形部が形成されるとともに、この目地成形部によって区画された複数の凸成形部が形成された微妙に模様が異なる複数種類の型マット片を用意し、
複数枚の型マット片を組み合わせて並べ、各型マット片の縦細目地成形部、縦太目地成形部、縦通し目地成形部と横通し目地成形部とが一直線の通しとなるようにするとともに、横細目地成形部と横太目地成形部とをずれた状態となるようにした型マットを形成し、この型マット上にコンクリートスラリーを流し込んで養生硬化させることを特徴とする外壁パネルの製造方法。
【請求項２】
幅の異なる縦細目地、縦太目地、縦通し目地を高さ方向に沿って形成する縦細目地成形部、縦太目地成形部、縦通し目地成形部と、幅の異なる横細目地、横太目地、横通し目地を幅方向に沿って形成する横細目地成形部、横太目地成形部、横通し目地成形部とによって、格子状の目地を形成するようになされた目地成形部が形成されるとともに、この目地成形部によって区画された複数の凸成形部が形成された微妙に模様が異なる複数種類の型マット片を用意し、
複数枚の型マット片を組み合わせて並べ、各型マット片の縦細目地成形部、縦太目地成形部、縦通し目地成形部と横通し目地成形部とが一直線の通しとなるようにするとともに、横細目地成形部と横太目地成形部とをずれた状態となるようにした型マットを形成し、この型マットで、押出成形時に押し出される未硬化成形体の表面に型押し成形することを特徴とする外壁パネルの製造方法。
【請求項３】
凸成形部の深さを不均一とした型マット片を用いる請求項１または２記載の外壁パネルの製造方法。
【発明の詳細な説明】
【０００１】
【発明の属する技術分野】
本発明は、外壁パネルの製造方法に関するものである。
【０００２】
【従来の技術】
一般に、外壁パネルの製造方法としては、型枠内に敷設した型マット上からコンクリートスラリーを流し込んで養生硬化させるキャスティング成形や、押出成形時に押し出される未硬化成形体の表面に、型マットで型押しする押出成形などが知られている。
【０００３】
従来より、格子状の目地模様などの規則的な模様を有する外壁パネルを製造する場合、型マットは、目地模様がずれないように位置決めして目地の通りを精巧に仕上げていた。
【０００４】
【発明が解決しようとする課題】
しかし、カーテンウォール式の外壁パネルなどの場合、目地の通りを精巧にしても施工時の取付誤差などによって建物全体の目地の通りが悪くなってしまうといった不都合を生じることとなる。
【０００５】
また、外壁パネルの製品毎に生じる目地ピッチの誤差などによっても建物全体の目地の通りが悪くなってしまうといった不都合を生じることとなる。
【０００６】
そのため、歩留りを悪くして施工時のあそびを多く取り、現場で施工する際に目地の通りを調整するといったことが行われているが、調整に時間がかかり、施工が煩わしくなるといった不都合を生じることとなる。
【０００７】
本発明は、係る実情に鑑みてなされたものであって、施工上および生産上の模様のずれを気にすることなく建物全体で意匠性に優れた外壁を構成することができる外壁パネルの製造方法を提供することを目的としている。
【００１１】
また、上記課題を解決するための本発明の外壁パネルの製造方法は、幅の異なる縦細目地、縦太目地、縦通し目地を高さ方向に沿って形成する縦細目地成形部、縦太目地成形部、縦通し目地成形部と、幅の異なる横細目地、横太目地、横通し目地を幅方向に沿って形成する横細目地成形部、横太目地成形部、横通し目地成形部とによって、格子状の目地を形成するようになされた目地成形部が形成されるとともに、この目地成形部によって区画された複数の凸成形部が形成された微妙に模様が異なる複数種類の型マット片を用意し、複数枚の型マット片を組み合わせて並べ、各型マット片の縦細目地成形部、縦太目地成形部、縦通し目地成形部と横通し目地成形部とが一直線の通しとなるようにするとともに、横細目地成形部と横太目地成形部とをずれた状態となるようにした型マットを形成し、この型マット上にコンクリートスラリーを流し込んで養生硬化させるものである。また、この型マットで、押出成形時に押し出される未硬化成形体の表面に型押し成形するものである。さらに、凸成形部の深さを不均一とした型マット片を用いるものである。
【００１２】
上記構成により、成形模様が意図的にずれ、一区画毎の格子柄の印象を和らげた外壁パネルを得ることができる。また、凸成形部の深さを不均一としたりすることで、各凸部の一つ毎の印象を和らげた外壁パネルを得ることができる。
【００１３】
【発明の実施の形態】
以下、本発明の実施の形態を図面を参照して説明する。
【００１４】
図１は外壁パネル１の全体構成の概略を示し、図２は同外壁パネル１の要部を示している。
【００１５】
すなわち、この外壁パネル１は、格子状となされた縦目地２および横目地３と、この縦目地２および横目地３によって区画された複数の凸部４とによる模様が形成されている。
【００１６】
縦目地２は、深さ約１０ｍｍとなされており、目地底幅約１ｍｍのＶ字状となされた縦細目地２１、目地底幅約５ｍｍとなされた縦太目地２２、目地底幅約８ｍｍとなされた縦通し目地２３の三種類からなる。これら縦目地２は、幅Ｗ方向に約４０ｍｍの均等間隔で、高さＨ方向に沿って設けられている。縦太目地２２と縦通し目地２３とは、二本の縦細目地２１をはさんで交互に設けられており、それが幅Ｗ方向に反復するようにして連続的に設けられている。これら縦細目地２１、縦太目地２２、縦通し目地２３は、外壁パネル１の上端部から下端部まで高さＨ方向に沿って一直線の通しとなるように設けられている。
【００１７】
横目地３は、深さ約１０ｍｍとなされており、目地底幅約１ｍｍのＶ字状となされた横細目地３１、目地底幅約５ｍｍとなされた横太目地３２、目地底幅約８ｍｍとなされた横通し目地３３の三種類からなる。横通し目地３３は、間に横細目地３１と横太目地３２とを一本ずつはさんで高さＨ方向に約１００ｍｍの均等間隔で、幅Ｗ方向に沿って設けられている。この横通し目地３３は、外壁パネル１の一側部から他側部まで幅Ｗ方向に沿って一直線の通しとなるように設けられている。横細目地３１は、外壁パネル１の一側部から他側部にかけて凸部４の三個分または六個分の距離を幅Ｗ方向に沿って一直線に連続し、その後、上方または下方にずれてジグザグに設けられている。横太目地３２も、外壁パネル１の一側部から他側部にかけて凸部４の三個分または六個分の距離を幅Ｗ方向に沿って一直線に連続し、その後上方または下方にずれてジグザグに設けられている。この横細目地３１および横太目地３２は、横通し目地３３から高さＨ方向に約３０ｍｍまたは約４０ｍｍの間隔を隔てた位置に設けられている。
【００１８】
したがって、凸部４は、約４０ｍｍ角の正方形状となされた正方形凸部４１と、約４０ｍ×約３０ｍｍの横長の長方形状となされた長方形凸部４２とが形成される。この凸部４は、それぞれの表面高さに任意に段差が設けられていて削り石のような質感を感じさせるようになされている。
【００１９】
このようにして構成される外壁パネル１は、縦細目地２１、縦太目地２２、縦通し目地２３が、外壁パネル１の上端部から下端部にかけて高さＨ方向に一直線の通しとなり、横通し目地３３が、外壁パネル１の一側部から他側部にかけて幅Ｗ方向に一直線の通しとなるので、格子柄となる。
【００２０】
しかし、この格子柄は、縦細目地２１、縦太目地２２、縦通し目地２３のそれぞれの縦目地２と、横細目地３１、横太目地３２、横通し目地３３のそれぞれの横目地３とが異なるとともに、横細目地３１および横太目地３２が外壁パネル１の一側部から他側部にかけてジグザグに設けられており、かつ、これら縦目地２および横目地３によって区画される凸部４が正方形凸部４１と長方形凸部４２との二種類からなり、しかも、それぞれの表面高さに任意の段差を設けているので、凸部４の一つ一つが強調された明確な格子柄ではなく、全体として織り柄のようで石の質感を感じさせる外壁パネル１が得られる。
【００２１】
また、外壁パネル１は、横細目地３１および横太目地３２が外壁パネル１の一側部から他側部にかけてジグザグに設けられているので、躯体（図示省略）に外壁パネル１を取り付けた状態で、隣接する外壁パネル１との間に取付誤差を生じているような場合であっても、この取付誤差が目立たない。したがって、躯体（図示省略）に複数枚の外壁パネル１を取り付けた印象を感じさせず、建物全体が一つの壁面で構成されているような一体感を持たせることができる。
【００２２】
次に、このようにして構成される外壁パネル１の製造方法について説明する。この外壁パネル１は、図３ないし図６に示すように、三種類の型マット片５を複数枚並べて形成した型マット５０を使用して製造される。
【００２３】
型マット片５には、高さＨ方向に三個、幅Ｗ方向に六個の合計十八個の凸成形部６が形成され、その周縁が縦目地成形部７および横目地成形部８となされている。
【００２４】
凸成形部６は、外壁パネル１の正方形凸部４１に対応する正方形凸成形部６１と、外壁パネル１の長方形凸成形部４２に対応する長方形凸成形部６２とから形成されている。
【００２５】
縦目地成形部７は、外壁パネル１の縦細目地２１に対応する縦細目地成形部７１と、縦太目地２２に対応する縦太目地成形部７２と、縦通し目地２３に対応する縦通し目地成形部７３とからなる。このうち、縦通し目地成形部７３は、図７（ａ）に示すように、隣接する型マット片５の縦通し目地成形部７３と重なった状態で縦通し目地２３に対応するようになされている。
【００２６】
横目地成形部８は、外壁パネル１の横細目地３１に対応する横細目地成形部８１と、横太目地３２に対応する横太目地成形部８２と、横通し目地３３に対応する横通し目地成形部８３とからなる。このうち、横通し目地成形部８３は、図７に示すように、隣接する型マット片５の横通し目地成形部８３と重なった状態で横通し目地３３に対応するようになされている。
【００２７】
型マット片５は、縦目地成形部７および横目地成形部８の配列の違いによって、Ａ型マット片５ａ、Ｂ型マット片５ｂ、Ｃ型マット片５ｃの三種類からなる。
【００２８】
Ａ型マット片５ａは、図３に示すように、高さＨ方向の上段六個の凸成形部６が、正方形凸成形部６１となされ、残りの十二個の凸成形部６が、長方形凸成形部６２となされている。また、横細目地成形部８１および横太目地成形８２が幅Ｗ方向全体にわたって一直線に通るようになされている。
【００２９】
Ｂ型マット片５ｂは、図４に示すように、高さＨ方向の下段左三個と上段右三個の凸成形部６が、正方形凸成形部６１となされ、残りの十二個の凸成形部６が、長方形凸成形部６２となされている。横細目地成形部８１は、幅Ｗ方向の左三個分の凸成形部６の距離に相当する長さが直線で通り、そこから下った後、幅Ｗ方向の残り右三個分の凸成形部６に相当する長さが直線で通る階段状となされている。横太目地成形８２は、幅Ｗ方向の左三個分の凸成形部６の距離に相当する長さが直線で通り、そこから上がった後、幅Ｗ方向の残り右三個分の凸成形部６に相当する長さが直線で通る階段状となされている。
【００３０】
Ｃ型マット片５ｃは、図５に示すように、高さＨ方向の上段左三個と下段右三個の凸成形部６が、正方形凸成形部６１となされ、残りの十二個の凸成形部６が、長方形凸成形部６２となされている。横細目地成形部８１は、幅Ｗ方向の左三個分の凸成形部６の距離に相当する長さが直線で通り、そこから上がった後、幅Ｗ方向の残り右三個分の凸成形部６に相当する長さが直線で通る階段状となされている。横太目地成形８２は、幅Ｗ方向の左三個分の凸成形部６の距離に相当する長さが直線で通り、そこから下がった後、幅Ｗ方向の残り右三個分の凸成形部６に相当する長さが直線で通る階段状となされている。
【００３１】
これら三種類の型マット片５ａ、５ｂ、５ｃは、凸成形部６の段差形状の違いによって、それぞれ複数枚が用意される。例えば、Ａ型マット片５ａは、Ａ１、Ａ２、Ａ３…Ａ２０といった具合に、凸成形部６の段差形状の違いによって、通し番号で複数枚（本実施の形態では２０枚）のＡ型マット片５ａが用意される。同様にＢ型マット片５ｂ、Ｃ型マット片５ｃについても、それぞれ通し番号でＢ１〜Ｂ２０、Ｃ１〜Ｃ２０といった具合に２０枚ずつが用意されるとすると、縦目地成形部７および横目地成形部８の違いによって三種類、凸成形部６の違いによって２０種類の合計６０種類の異なった型マット片５が用意される。なお、この型マット片５の種類数としては、特に６０種類に限定されるものではなく、必要に応じた適宜の数の型マット片５を使用することができる。
【００３２】
型マット５０は、これら複数種類の型マット片５を任意に並べて形成される。図６は、これら型マット片５の配置の一例を示している。同図において、例えば、「Ａ２Ｒ」とは、凸成形部６の通し番号が「２番」のＡ型マット片５ａを上下逆にして使用していることを示している。
【００３３】
このようにして構成される型マット５０は、図８（ａ）に示すように、型枠５１内に敷設してキャスティング成形するようにしてもよいし、図８（ｂ）に示すように、キャタピラ状にして押出成形機５２から押し出される未硬化成形体の表面に型押しするようにしてもよい。
【００３４】
なお、本実施の形態では、外壁パネル１は、横細目地３１および横太目地３２のみを、外壁パネル１の一側部から他側部にかけてジグザグとしているが、縦細目地２１および縦太目地２２についても、外壁パネル１の上端部から下端部にかけてジグザグにしてもよい。
【００３５】
また、外壁パネル１は、縦目地２および横目地３の深さを約１０ｍｍとしているが、この縦目地２および横目地３の深さとしては特に限定されるものではなく、外壁パネル１の表面模様のデザインに応じて適宜決定することができる。また、この縦目地２と横目地３とによって形成される格子柄の大きさについても特に限定されるものではない。ただし、外壁パネル１同士の継ぎ目と、これら縦目地２および横目地３との区別をできないようにするためには、ある程度細かい格子柄であることが好ましい。
【００３６】
【発明の効果】
以上述べたように、本発明によると、躯体に外壁パネルを貼設した状態で、外壁パネル同士の継ぎ目と目地とを区別できないようにすることができ、建物全体の一体感を高めることができる外壁パネルを製造することが可能となる。
【００３７】
また、横目地を意図的にずらしたり、各目地毎に幅および形状を異なった状態にしたり、これら目地によって区画される各凸部の高さを不均一にすることで、各凸部の一つ毎の印象を和らげることができ、全体として織り柄のようで石の質感を持たせた外壁パネルとすることができ、外壁パネル同士の継ぎ目と目地との区別をより一層できないようにすることができる。
【図面の簡単な説明】
【図１】  本発明に係る製造方法によって得られる外壁パネルの全体構成の概略を示す平面図である。
【図２】（ａ）ないし（ｃ）は、外壁パネルの部分拡大平面図、部分拡大側面図、部分拡大正面図である。
【図３】（ａ）はＡ型マット片の全体構成の概略を示す平面図、（ｂ）は同斜視図である。
【図４】（ａ）はＢ型マット片の全体構成の概略を示す平面図、（ｂ）は同斜視図である。
【図５】（ａ）はＣ型マット片の全体構成の概略を示す平面図、（ｂ）は同斜視図である。
【図６】型マットにおける型マット片の配列状態を示す平面図である。
【図７】（ａ）および（ｂ）は、型マット片の断面図である。
【図８】（ａ）は型マットを使用したキャスティング成形による外壁パネルの製造方法を示す斜視図、（ｂ）は型マットを使用した押出成形による外壁パネルの製造方法を示す斜視図である。
【符号の説明】
１  外壁パネル
２  縦目地
２１  縦細目地
２２  縦太目地
２３  縦通し目地
３  横目地
３１  横細目地
３２  横太目地
３３  横通し目地
４  凸部
４１  正方形凸部
４２  長方形凸部
５  型マット片
５ａ  Ａ型マット片
５ｂ  Ｂ型マット片
５ｃ  Ｃ型マット片
５０  型マット
５１  型枠
６  凸成形部
６１  正方形凸成形部
６２  長方形凸成形部
７  縦目地成形部
７１  縦細目地成形部
７２  縦太目地成形部
７３  縦通し目地成形部
８  横目地成形部
８１  横細目地成形部
８２  横太目地成形部
８３  横通し目地成形部
【図１】
0003828315.tif 000002
【図２】
0003828315.tif 000003
【図３】
0003828315.tif 000004
【図４】
0003828315.tif 000005
【図５】
0003828315.tif 000006
【図６】
0003828315.tif 000007
【図７】
0003828315.tif 000008
【図８】
0003828315.tif 000009